(57)【要約】【課題】畳の場合で通気孔の数が多くなっても畳の全体的な強度が弱くなりにくいようにし、通気孔が比較的径大に形成されても、その部分で畳表が凹むことがないようにして使用時に違和感を覚えることがないようにする。【解決手段】  畳は、畳床１、畳表２及び縁を備えており、畳床１には厚み方向に表裏面間を貫通して多数の通気孔１０が設けられている。通気孔１０は円形の孔であり、畳表２を設ける面側に開口した径大部１１と、裏面側に開口した径小部１２により構成されている。径大部１１と径小部１２の境界部分には、蓋体４を載置するための段部１３が形成されており、径大部１１の孔内部及び径小部１２の開口部には、それぞれ蓋体４が装着されている。【選択図】図３
2010163757.tif 000002
【特許請求の範囲】
【請求項１】
畳床の表面に畳表が設けられた畳において、
畳床には畳床の厚み方向に所要数の通気孔が設けられており、通気孔の開口部には、開口部の内周面に嵌合できる通気性を有する蓋体が装着されている、畳。
【請求項２】
畳床の表面に畳表が設けられた畳において、
畳床には畳床の厚み方向に所要数の通気孔が設けられており、各通気孔には有底筒状の中空体が底部を畳表側にし畳床表面と面一になるようにして収容されており、中空体は外面が通気孔の内周面と嵌合できる形状であり、中空体の開口部には通気性を有する蓋体が装着されている、畳。
【請求項３】
通気孔は畳床の畳表側と裏面側間で貫通して設けられている、
請求項１または２のいずれかに記載の畳。
【請求項４】
通気孔の内部空間に機能性材料が収容されている、
請求項１ないし３のいずれかに記載の畳。
【請求項５】
床部を有するベッド本体と、床部に載置されている請求項１ないし４のいずれかに記載の畳とを備えている、
畳ベッド。
【発明の詳細な説明】
【技術分野】
【０００１】
本発明は、畳及びそれを使用した畳ベッドに関するものである。更に詳しくは、通常の畳と比較して畳全体の通気性または畳の表裏間の通気性を向上させるために畳床に通気孔を設けた、床用敷き畳やベッド用敷き畳として使用する畳において、通気孔を設けたことによる畳の強度等の低下を防止した畳及びそれを使用した畳ベッドに関する。
【背景技術】
【０００２】
通常の畳は、畳床、畳表及び縁で構成されている。畳には、畳床を稲ワラでつくった本畳、畳床に稲ワラを使用せずポリスチレンフォームや木質ボード等を材料とした建材畳及び中層のポリスチレンフォーム等を上下層の稲ワラで挟んだ積層畳床等がある。
通常の畳は、畳床に相当の厚みがあるために、表面の畳表側と裏面側間ではほとんど通気性はない。しかし、ベッド用の床として使用する等、畳の使用形態によっては、表面の畳表側と裏面側間で通気性を付与するのがより好ましい場合がある。畳床に畳表側と裏面側間で通気性を付与した畳としては、例えば特許文献１記載の畳がある。
【０００３】
特許文献１に記載の置敷型畳は、弾力性、難燃性及び無吸湿性を有する合成樹脂製の畳床を有し、使用しないときの収納性を考慮した柔軟性のある薄畳であり、畳床には多数の通気孔が設けられている。この畳は、もともと変形させることを前提につくられているので、畳床に通気孔が多数設けられていても、耐縒れ性、耐撓み性、耐変形性（保形性）あるいは耐久性等の強度の低下についての問題は基本的に生じない。
【先行技術文献】
【特許文献】
【０００４】
【特許文献１】特開平１１−６２１９１号
【発明の概要】
【発明が解決しようとする課題】
【０００５】
しかしながら、例えば畳床が稲ワラでつくられた本畳では、特許文献１に記載の畳と同様に畳床の表裏間で通気性を付与するために多数の通気孔を設けると、畳床を形成する稲ワラの、畳床全体に占める実質的割合が少なくなるため、畳の強度が弱くなりやすい。
また、通気孔が比較的径大に形成される場合は、その部分で畳表が凹みやすく、使用に違和感を覚えやすい。さらには、削孔によって通気孔を多数設けることによって、稲ワラの切れた部分が多くなるために通気孔の内壁を形成する稲ワラが徐々に解れて屑や粉が出て周囲を汚してしまう問題もあった。
【０００６】
（本発明の目的）
本発明の目的は、例えば本畳の場合で、通気孔の数が多くなって、畳床を形成する稲ワラの、畳床全体に占める実質的割合が少なくなっても、畳の全体的な強度が弱くなりにくいようにした畳を提供することである。また、通気孔が比較的径大に形成されても、その部分で畳表が凹むことがないようにして使用時に違和感を覚えることがないようにすることである。
【０００７】
本発明の他の目的は、前記目的に加えて、削孔によって通気孔を多数設けることにより、稲ワラの切れた部分が多くなっても、通気孔の内壁を形成する稲ワラが解れにくいようにし屑や粉も出にくいようにすることである。
【課題を解決するための手段】
【０００８】
第１の発明は、
畳床の表面に畳表が設けられた畳において、
畳床には畳床の厚み方向に所要数の通気孔が設けられており、通気孔の開口部には、開口部の内周面に嵌合できる通気性を有する蓋体が装着されている、
畳である。
【０００９】
第２の発明は、
畳床の表面に畳表が設けられた畳において、
畳床には畳床の厚み方向に所要数の通気孔が設けられており、各通気孔には有底筒状の中空体が底部を畳表側にし畳床表面と面一になるようにして収容されており、中空体は外面が通気孔の内周面と嵌合する形状であり、中空体の開口部には通気性を有する蓋体が装着されている、
畳である。
【００１０】
第３の発明は、
通気孔は畳床の畳表側と裏面側間で貫通して設けられている、第１または第２のいずれかの発明に係る畳である。
【００１１】
第４の発明は、
通気孔の内部空間に機能性材料が収容されている、第１ないし第３のいずれかの発明に係る畳である。
【００１２】
第５の発明は、
床部を有するベッド本体と、床部に載置されている第１ないし第４のいずれかの発明に係る畳とを備えている、畳ベッドである。
【００１３】
本発明にいう「中空体」とは、例えば円筒形、角筒形等の筒形のもの、あるいは有底筒形のもの等であるが、これらに限定するものではない。中空体が筒形の場合は、蓋体は中空体の通気孔に対する収容方向において両端側の開口部に装着され、有底筒形の場合は、塞がれていない側の開口部に装着される。
中空体は、壁部に通気のための小孔やスリット等を設けてもよいし、これらを設けない構造とすることもできる。
【００１４】
本発明にいう「機能性材料」とは、畳の周囲にある生体または環境に良好に作用する機能を有する材料であり、特に限定するものではない。機能性材料としては、例えば活性炭等の炭、各種セラミックあるいは磁石（永久磁石）等があげられる。
炭、各種セラミックはきわめて多孔質であり、空気中の臭気の吸着性や水分の吸排性にすぐれ、あわせてマイナスイオンの発生も期待できるものである。また、磁石は人体等の生体が近くにある場合、磁力によってその血流を促すことによる生体の不調の改善、健康状態の維持が期待できるものである。
【００１５】
（作用）
本発明に係る畳及び畳ベッドの作用を説明する。
第１の発明によれば、畳床に設けられている通気孔の開口部に開口部の内周面に嵌合できる通気性を有する蓋体が装着されているので、取り扱い時に畳床が縒れたり撓んだりして通気孔が変形しようとしても、蓋体の剛性が抵抗となるので、畳の強度が弱くなることを防止または軽減することができる。
また、通気孔の開口部は蓋体で塞がれているので、通気孔が比較的径大に形成されても開口部の部分で畳表が凹むことがなく、使用時に違和感を覚えることを防止できる。
【００１６】
第２の発明によれば、畳床に設けられている通気孔に中空体が収容されており、中空体は中空体の外面が通気孔の内周面と嵌合する形状であり、中空体の開口部には通気性を有する蓋体が装着されているので、取り扱い時に畳床が縒れたり撓んだりして通気孔が変形しようとしても、蓋体付きの中空体の剛性が抵抗となるので、畳の強度が弱くなることを防止または軽減することができる。
また、中空体の外面が通気孔の内周面に嵌合させてあるため、中空体の外面は通気孔の内周面を押さえるように接しており、畳床が稲ワラでつくられている場合、これによって稲ワラが解れにくく、屑や粉も出にくくなる。
【００１７】
第３の発明によれば、通気孔は畳床の畳表側と裏面側間で貫通して設けられているので、畳の表裏面間の通気性が良好である。
【００１８】
第４の発明によれば、通気孔の内部空間に機能性材料が収容されているので、例えば機能性材料として炭を使用した場合、空気中の臭気の吸着性や水分の吸排性にすぐれ、あわせてマイナスイオンの発生も期待できる、というように、畳としての付加価値をさらに高めることができる。
【００１９】
第５の発明によれば、前記各作用を有する通気性が良好な畳を使用した、畳ベッドを提供することができる。
【発明の効果】
【００２０】
本発明は次のような効果を備えている。
（ａ）通気孔に蓋体または蓋体付きの中空体が装着されているので、取り扱い時に畳床が縒れたり撓んだりして通気孔が変形しようとしても、蓋体または蓋体付きの中空体の剛性が抵抗となるので、畳の強度が弱くなることを防止または軽減することができる。
【００２１】
（ｂ）通気孔の開口部は蓋体あるいは中空体の底部で塞がれているので、通気孔が比較的径大に形成されても開口部の部分で畳表が凹むことがなく、使用時に違和感を覚えることを防止できる。
【００２２】
（ｃ）中空体を使用しているものは、中空体の外面が通気孔の内周面に嵌合させてあるため、中空体の外面は通気孔の内周面を押さえるように接しており、これによって稲ワラが解れにくく、屑や粉も出にくくなる。
【００２３】
（ｄ）畳ベッドにあっては、各作用を有する通気性が良好な畳を床として使用することにより、通気性が良好な畳ベッドを提供することができる。
【図面の簡単な説明】
【００２４】
【図１】本発明に係る畳の第１実施の形態を示す畳表の一部を切欠した表面側斜視図。
【図２】本発明に係る畳の第１実施の形態を示す裏面側斜視図。
【図３】本発明に係る畳の第１実施の形態において蓋体を装着した通気孔部分の構造を示す拡大断面図。
【図４】畳床の通気孔に対する蓋体の取り付け構造を示す分解斜視説明図。
【図５】本発明に係る畳の第２実施の形態において中空体及び蓋体を装着した通気孔部分の構造を示す断面図。
【図６】中空体及び蓋体の構造を示す分解斜視図。
【図７】本発明に係る畳の第３実施の形態において中空体及び蓋体を装着した通気孔部分の構造を示す断面図。
【図８】本発明に係る畳の第４実施の形態において中空体及び蓋体を装着した通気孔部分の構造を示す断面図。
【図９】本発明に係る畳ベッドの一実施の形態を示す分解斜視図。
【発明を実施するための形態】
【００２５】
図を参照して、以下に発明を実施するための形態を説明する。
【実施例１】
【００２６】
図１ないし図４を参照する。
本実施の形態に係る畳Ａ１は、稲ワラを締め固めてつくられた畳床１と、畳床１の表面に設けられ藺草を織成してつくられた畳表２と、畳床１と畳表２を相対向する二辺で綴じる縁３を備えた本畳である。畳床１は、規格に沿って所要の寸法（たて、よこ及び厚さ）に形成されている。畳床１には、その厚み方向に表裏面間を貫通して多数の通気孔１０（図３、図４に図示）が設けられている。
【００２７】
各通気孔１０は円形の孔であり、畳表２を設ける面側（図３、図４において上面側）に開口した径大部１１と、裏面側（図３、図４において下面側）に開口した径小部１２により構成されている。なお、径大部１１と径小部１２の境界部分には、後述する蓋体４を載置するための段部１３が形成されている。そして、径大部１１の孔内部及び径小部１２の開口部には、それぞれ蓋体４が装着されている。
【００２８】
図３、図４を参照して蓋体４の形状及び通気孔１０の径大部１１と径小部１２に対する取り付け構造を説明する。
【００２９】
蓋体４は合成樹脂製であり、有底円筒形（使用時には底部が上になるので逆有底円筒形と表現することもできる）の本体部４０と、本体部４０の口縁部に全周にわたり設けられているフランジ部４１を備えている。本体部４０の底部には、ほぼ全面にスリット状の通気口４２が多数設けられている。また、本体部４０の外径は前記通気孔１０の径小部１２の内径と同じ径に形成されており、フランジ部４１の外径は通気孔１０の径大部１１の内径と同じ径に形成されている。
【００３０】
蓋体４は、一つの通気孔１０に対し二個が使用される。蓋体４の一つは、畳床１の裏側から通気孔１０の径小部１２の開口部に、本体部４０をフランジ部４１が畳床１の裏面に当たるまで嵌め入れて装着されている。また、蓋体４の他の一つは、畳床１の表側から通気孔１０の径大部１１の開口部に、フランジ部４１を通気孔１０の段部１３に当たるまで嵌め入れて装着されている。なお、径大部１１に装着された蓋体４の本体部４０の上面（通気口４２が設けられている底部）は、畳床１の表面と面一となっている。
【００３１】
少なくとも前記径大部１１に蓋体４を装着した後、畳床１の表面に畳表２を張設し、畳床１と畳表２は、相対向する二辺で縁３によって綴じられている。また、図３に示すように通気孔１０の内部において上下の蓋体４で挟まれた空間部には、機能性材料である活性炭６が不織布５で包まれた状態で、空間部をほぼ埋めるようにして収容されている。
【００３２】
（作用）
畳Ａ１では、畳床１に設けられている通気孔１０の両開口部に開口部の内周面に嵌合できる通気性を有する蓋体４が装着されているので、畳Ａ１を取り扱う際に畳床１が縒れたり撓んだりして各通気孔１０が変形しようとしても、各蓋体４の剛性が抵抗となるので、畳Ａ１の強度が弱くなることを防止または軽減することができる。
【００３３】
また、通気孔１０の両開口部のうち径大部１１に装着された蓋体４の本体部４０の上面（通気口４２が設けられている底部）は、畳床１の表面と面一となっているので、通気孔１０が比較的径大に形成されても、開口部の部分で畳表２が凹むことがなく、使用時に違和感を覚えることを防止できる。
【００３４】
さらに、各通気孔１０の内部空間には機能性材料である活性炭６が収容されているので、空気中の臭気の吸着性や水分の吸排性にすぐれ、あわせてマイナスイオンの発生も期待でき、畳としての付加価値をさらに高めることができる。
【実施例２】
【００３５】
図５、図６を参照する。
本実施の形態に係る畳Ａ２は、稲ワラを締め固めてつくられた畳床１ａと、畳床１ａの表面に設けられ藺草で織成してつくられた畳表２と、畳床１ａと畳表２を相対向する二辺で綴じる縁３を備えた本畳である。畳床１ａは、規格に沿って所要の寸法（たて、よこ及び厚さ）に形成されている。畳床１ａには、その厚み方向に表裏面間を貫通して多数の通気孔１０ａが設けられている。各通気孔１０ａは円形の孔であり、内径は全長にわたり同じである。通気孔１０ａには、蓋体８を取り付けた中空体７が収容されている。
【００３６】
中空体７及び蓋体８の形状及び通気孔１０ａに対する取り付け構造を説明する。
中空体７は合成樹脂製であり、有底円筒形に形成されている。中空体７の側部７０には、全周にわたり所要の長さでスリット状の通気口７１が等間隔で多数設けられている。各通気口７２は中空体７の長さ方向と平行に設けられている。中空体７の底部には、ほぼ全面にスリット状の通気口７２が多数設けられている。側部７０の外径は前記通気孔１０ａの内径と同じ径に形成されている。また、中空体７の長さは通気孔１０ａの長さより若干短く形成されている。
【００３７】
蓋体８は合成樹脂製であり、有底円筒形の本体部８０と、本体部８０の口縁部に全周にわたり設けられているフランジ部８１を備えている。本体部８０の底部には、ほぼ全面にスリット状の通気口８２が多数設けられている。また、本体部８０の外周面には前記中空体７の開口側の内周面に密着するリブ８３が周方向に等間隔で複数設けられている。
【００３８】
中空体７は、上面（通気口７２が設けられている底部）が、畳床１ａの表面側に張設された畳表２に接するようにして各通気孔１０ａに収容されている。通気孔１０ａに装着された中空体７の上面は、畳床１ａの表面と面一となっている。また、中空体７の側部７０の外面は、通気孔１０ａの内周面に接している。そして、中空体７の開口部には、蓋体８がフランジ部８１を通気孔１０ａの下端面に当たるまで嵌め入れて装着されている。これにより、フランジ部８１下面が畳床１ａの裏面と面一となっている。
【００３９】
（作用）
畳Ａ２では、畳床１ａに設けられている各通気孔１０ａに中空体７が収容されており、中空体７は側部７０の外面が通気孔１０ａの内周面と嵌合する形状であり、さらに中空体７の開口部には通気性を有する蓋体８が装着されている。これによって、畳Ａ２を取り扱う際に畳床１ａが縒れたり撓んだりして各通気孔１０ａが変形しようとしても、蓋体８付きの中空体７の剛性が抵抗となるので、畳Ａ２の強度が弱くなることを防止または軽減することができる。
【００４０】
また、中空体７は、上面（通気口７２が設けられている底部）が畳床１ａの表面と面一となり、畳床１ａの表面側に張設された畳表２に接するようにして各通気孔１０ａに収容されているので、通気孔１０ａが比較的径大に形成されても、開口部の部分で畳表２が凹むことがなく、使用時に違和感を覚えることを防止できる。
【００４１】
さらには、中空体７の側部７０の外面が通気孔１０ａの内周面に嵌合させてあるため、側部７０の外面は通気孔１０ａの内周面を押さえるように接しており、畳Ａ２のように畳床１ａが稲ワラでつくられている場合、これによって稲ワラが解れにくく、屑や粉も出にくくなる。
【実施例３】
【００４２】
図７を参照する。
本実施の形態に係る畳Ａ３は、前記畳Ａ２において、中空体７内部の空間部に機能性材料である活性炭６が不織布５で包まれた状態で、空間部をほぼ埋めるようにして収容されている構造である。
なお、畳Ａ３の作用は、前記畳Ａ２の作用に前記畳Ａ１の活性炭６を通気孔１０に収容したことによる作用を加えたものであるので、詳細な説明は省略する。
【実施例４】
【００４３】
図８を参照する。
本実施の形態に係る畳Ａ４は、前記畳Ａ２と相違して、畳床１ｂに設けられている通気孔１０ｂが畳床１ｂを表裏間で貫通していない。つまり、畳床１ｂにおいて畳表２側に所要厚さの閉塞部１４が残されている。この閉塞部１４は、稲ワラでつくられているため、ある程度の通気性は有している。
【００４４】
また、通気孔１０ｂに収容されている中空体７ａは前記中空体７より閉塞部１４の厚みの分だけ短く形成され、開口部には前記と同様の蓋体８が装着されている。なお、中空体７ａ内部の空間部に機能性材料である活性炭６を不織布５で包んだ状態で収容できる点は中空体７を使用した畳Ａ３と同様である。
【００４５】
（作用）
畳Ａ４では、畳床１ｂは通気性を有しており、通気孔１０ｂは畳床の畳表側の閉塞部１４を残して貫通しないように設けられているので、中空体７ｂが薄い畳表２に裏側から直接当たることがなく、使用時に畳表２を通して違和感を覚えることを防止できる。
【実施例５】
【００４６】
図９を参照する。
畳ベッドＢは、簀の子状の床部９０を有するベッド本体９と、床部９０の上に載置されている畳Ａ１で構成されている。なお、畳Ａ１の代替として畳Ａ２、Ａ３、Ａ４を使用して畳ベッドＢを構成することもできる。
【００４７】
畳ベッドＢは、畳Ａ１が各通気孔１０によって良好な通気性を有しており、各通気孔１０内部に収容されている活性炭によって、使用者の汗等の臭気の吸着や水分の吸排が効率よく行われ、あわせてマイナスイオンの発生も期待できるので、快適に使用することができる。
【００４８】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００４９】
Ａ１  畳
１  畳床
１０  通気孔
１１  径大部
１２  径小部
１３  段部
１４  閉塞部
２  畳表
３  縁
４  蓋体
４０  本体部
４１  フランジ部
４２  通気口
５  不織布
６  活性炭
Ａ２  畳
１ａ  畳床
１０ａ  通気孔
７  中空体
７０  側部
７１  通気口
７２  通気口
８  蓋体
８０  本体部
８１  フランジ部
８２  通気口
８３  リブ
Ａ３  畳
Ａ４  畳
１ｂ  畳床
１０ｂ  通気孔
７ｂ  中空体
Ｂ  畳ベッド
９  ベッド本体
９０  床部
【図１】
2010163757.tif 000003
【図２】
2010163757.tif 000004
【図３】
2010163757.tif 000005
【図４】
2010163757.tif 000006
【図５】
2010163757.tif 000007
【図６】
2010163757.tif 000008
【図７】
2010163757.tif 000009
【図８】
2010163757.tif 000010
【図９】
2010163757.tif 000011